(57)【要約】【課題】タイ発祥のソープカービングは日本で習い事として人気がある。ソープカービングを作る目的は室内装飾のための贈答品が多い。ソープカービングは贈答品として制作する場合が多いにも関わらず、贈答の際にも壊れないように細心の注意を払わなくてはならない。またカービングのカッティングの技術は、習得するのに時間がかかるので、途中で上達をあきらめてしまう方が多い。【解決手段】本発明はこのようなソープカービングを香りのインテリアとして装飾する、運搬する際の問題を解決し、また、カービングのカッティング技術の習得に関係なく、装飾物になる事を目的とする【選択図】図１４
2018141032.tif 000002
【特許請求の範囲】
【請求項１】
彫刻が施された石鹸とこの石鹸の周囲に挿入された複数の針状のピンと、
前記石鹸の底面に挿入された複数の針状のピンと、
前記周囲に挿入されたピンと底面に挿入されたピンとの間に
架け渡されたリボンと、
を具備することを特徴とするソープカービング装飾品。
【請求項２】
前記周囲に挿入されたピンは円周から中心に向かって水平方向に挿入し、
前記底面に挿入されたピンは石鹸の底面に垂直方向に挿入していることを特徴とする請求項１に記載のソープカービング装飾品。
【請求項３】
彫刻が施された石鹸を用いる装飾品の作製方法であって、
前記石鹸の周囲に複数の針状のピンを挿入する工程と、
前記石鹸における彫刻が施された面をカバー部材で覆う工程と、
前記石鹸の底面に複数の針状のピンを挿入する工程と、
前記石鹸の周囲に挿入されたピンと底面に挿入されたピンとの間にリボンを架け渡す工程と、
前記カバー部材を石鹸における彫刻が施された面から取り外す工程と、
前記石鹸の周囲に挿入されたピンを押し込む工程と
を具備することを特徴とするソープカービング装飾品の作製方法。
【請求項４】
前記石鹸の底面に複数の針状のピンを挿入する工程は、挿入深さを前記針状のピンの長さの４分の１から２分の１とし、前記石鹸の周囲に挿入されたピンを押し込む工程は、押し込む深さを前記針状のピンの長さのリボン幅分程度残すことを特徴とする請求項３に記載のソープカービング装飾品の作製方法。
【発明の詳細な説明】
【技術分野】
【０００１】
本発明は、石鹸に彫刻し飾るソープカービングSoap Carving（石鹸彫刻）に関し、彫刻した石鹸の装飾品をリボンソープや、ソープカービング装飾品という。  
【背景技術】
【０００２】
石鹸を飾るカービングCarvingとは、タイの伝統工芸でタイでは７００年以上前からフルーツや野菜に彫刻を施したのが始まりといわれている。
【０００３】
「タイカービング」といわれ、世界中から注目をあびていて、日本でも習い事やホテル、結婚式での飾りとして認知度が高まっている。
【０００４】
日本では習い事として、石鹸を彫るソープカービングの人気が高い。
【先行技術文献】
【特許文献】
【０００５】
【特許文献１】特開2015-151448号公報
【発明の概要】
【発明が解決しようとする課題】
【０００６】
ソープカービングを作る目的は室内装飾のための贈答品が多い。ソープカービングのカッティングは石鹸をいかに薄く彫れるか、という非常に繊細でデリケートな彫刻である。
ソープカービングは時間が経つと水分が抜けて乾燥し、彫刻を施した部分が壊れやすくなるという問題がある。
ソープカービングは贈答品として制作する場合が多いにも関わらず、贈答の際にも壊れないように細心の注意を払わなくてはならない。
またカービングのカッティングの技術は、習得するのに時間がかかるので、途中で上達をあきらめてしまう方が多い。
【０００７】
本発明はこのようなソープカービングを香りのインテリアとして装飾する、運搬する際の問題を解決し、また、カービングのカッティング技術の習得に関係なく、装飾物になる事を目的とする。
【課題を解決するための手段】
【０００８】
本発明のソープカービング装飾品は、
彫刻が施された石鹸とこの石鹸の周囲に挿入された複数の針状のピンと、
前記石鹸の底面に挿入された複数の針状のピンと
前記周囲に挿入されたピンと底面に挿入されたピンとの間に架け渡されたリボンと、
を具備することを特徴とする。
【発明の効果】
【０００９】
彫刻が施された石鹸にピンを挿すことにより、他のものと接触して壊れる可能性が低くなるとともに、石鹸を持ち運びしやすくなる。
【００１０】
ピンを挿し石鹸の台を作成するため、この装飾品をそのまま置く事で、カービングされた石鹸を鑑賞することができる。
【００１１】
ケースに入れて飾る必要がなくなるため、石鹸の香りを楽しむことができる。
【図面の簡単な説明】
【００１２】
【図１】ナイフのよって表面に彫刻を施された石鹸の図
【図２】前記彫刻された石鹸の円周に中心に向かってピンを挿した図
【図３】円周のピンにカバー部材をかぶせ裏面を出した図
【図４】底面にピンを挿した図
【図５】底面のピンの１本にリボンの端を挿して石鹸に挿入する図
【図６】底面のピン、石鹸の円周のピンにリボンを掛け渡す。
【図７】カバー部材ごと表側にひっくり返した図
【図８】円周のピンだけにリボンを架け渡す。
【図９】底面のピンだけに３周リボンを絡ませた図
【図１０】リボンの端を底面のピンで留める図
【図１１】余ったリボンをカットする図
【図１２】裏返し、カバー部材を外す図
【図１３】底面のピンをリボンの長さで押し込む図
【図１４】円周のピンをリボンの長さで押し込む図
【発明を実施するための形態】
【００１３】
以下、本発明の形態を図1から図１４に基づいて説明し、本発明の理解に供する。
【００１４】
図１は彫刻が施された石鹸の実施例を示し、固形石鹸１にカービングナイフでカービングの装飾を固形の石鹸１の上部半分に彫る。
【００１５】
図２はカービングされた石鹸１の一番広い円周から中心に向かって円周部にブートニアピン２、シルクピン３を挿入した図である。挿す深さはピンの１／３程度を目安に１／４から１／２の範囲にする。
結婚式の際に新郎がコサージュを胸につける際に使う、ブートニアピン２を彫った石鹸の周り、一番円周の大きい場所に8本、円周から中心に向かって水平方向に挿入する。その間にパッチワークの際に使う長めのピン、シルクピン３を3本ずつ挿入する。
したがって、円周に挿すピンはブートニアピン２を８本、シルクピン３を２４本となり、石鹸１の円周には合計32本のシルクピン３を挿入する。
彫刻が施された石鹸は彫刻面を上にしたままピンを挿す。そうすることによって彫刻が壊れない。
【００１６】
ピンの種類本数は使う石鹸の形や大きさによって変えることができる。ブートニアピンを挿入する間隔やシルクピンの本数を変えることができる。また挿入の角度も変えることにより、仕上がった装飾物の見た目も変わる。
ピンの長さは長い方が作りやすい。
【００１７】
その挿したブートニアピン２、シルクピン３の上に石鹸１の円周より少し大きいサイズのカバー部材５をかぶせる。カバー部材はピンの上に乗せる。図３に示すように、カバー部材とピンを挿入された彫刻が施された石鹸を同時に裏返しにする。カービングした石鹸１の裏面を上にし、中央に500円玉程度の大きさの丸を下書きする。
【００１８】
図４に示すように、下書きした線の上に、底のピン６を等分に挿入していく。8等分し底のピン６を8本挿したらさらにその間に底のピン６を挿す。
【００１９】
底のピンの数が円周に挿入した数の比率により、後述するリボンの架け渡し方が変わる。また、底面のピンは石鹸に垂直方向に挿入しているが、角度を変えて挿入することで仕上がった装飾物の見た目が変わる。
【００２０】
底面のピン１本に長さ3メートルに切った幅３ミリのリボン４の端にシルクピン３の１本を図５に示したように彫刻を施された石鹸の底面に挿入する。
【００２１】
そこから図６のように、リボン４を架け渡す。
石鹸１の底に当たる部分からスタートし、リボン４は一定の方向で巻き付ける。リボンをピンに巻き付けることにより、飾りとしての強度と安定を作る。
【００２２】
石鹸１の大きさは、直径6.5センチ、高さ2.5センチのもので外側1段巻き付ける場合に3メートル必要になる。石鹸のサイズや高さによって必要なリボン４の長さは変わる。
【００２３】
リボンの色、材質は石鹸とあわせて自由に色を選ぶことができる。
例えばリボンの素材には綿、アセテート、ポリエステルなどがあり、単色でも複数の色を組み合わせてもよい。
【００２４】
底のピン６は16本で外周のブートニアピン２、シルクピン３は32本なので、裏の底のピン６は1本あたり2回、サイドのブートニアピン２、シルクピン３は1回ずつ、リボン４をかける。
底とサイドにリボンをかけ、石鹸の下半分、底のピン６の外をリボンで覆うようになる。
【００２５】
石鹸の彫刻面が下の向いている作業であるが、カバー部材を使うことにより壊れやすい彫刻を守り、装飾物を作る作業がしやすくなる。
【００２６】
カバー部材５と石鹸１を同時に裏返しにする。図７のようにカービングした面が上になるようにする。
【００２７】
リボン４の端を周囲のピン方向にもってきて、図８に示すようにケース５を外し、サイドのブートニアピン２、シルクピン３の１本に一回リボンを架け渡し、次に隣のピンに移動する。順次隣のピンに回しかけて一周架け渡す。石鹸１の周囲に挿入したピンと底面のピンを掛け渡したリボンの外側に、ピン１本ごとに架け渡す作業になる。
【００２８】
架け渡す作業は同じ方向にし、等間隔にピンが挿入されていると装飾性が増す。架け渡しは1周だけでなく複数周、してもよい。架け渡す数周によりリボン４の長さは変わる。
【００２９】
図８のように１周リボン４がまわったら、リボン４とブートニアピン２、シルクピン３の間に更にリボン４を通し、底面のピン部分にリボン４をもってくる。
【００３０】
再び、カバー部材５を置き、底を上にもってきて、図９の様に底のピン６にリボン４を３周架け渡す。
【００３１】
架け渡しはかならずしも３周でなくてよい。この周数により装飾物の台の高さが変わる。
【００３２】
リボン４を3周巻き付け、最後に図１０の様に、短い虫ピン７で底面のピン６の下に斜めに虫ピン７を入れ込む。リボン４が余ったときは余分なリボンをカットする。見えないところに押し込めることで端が隠れ、装飾性が増す。
【００３３】
図１１に示すようにリボンが余った場合はカットする。
【００３４】
カバー部材５と装飾された石鹸１を同時に持ち、上下を変える。図１２に示すように、カバー部材を外し架け渡したリボンとピンで台になって高さが出る。
【００３５】
図１３に示すように石鹸１の底面のピン６を架け渡したリボン４の長さに合わせて押し込む。装飾物の台の高さが床面に対し並行になるようにする。
【００３６】
図１４に示すように石鹸１の周囲のブートニアピン２、シルクピン３を架け渡したリボン４の長さに合わせて押し込む。
【００３７】
ピンは通常の虫ピン（１２ミリ）、シルクピン（３３ミリ）、ブートニアピン（４０ミリ）の3種類を使用する。
【００３８】
このようにして、彫刻が施された石鹸に装飾をし、ソープカービングを飾る台を作ることができる。最後に巻きつけたリボンの幅にピンを押し込む事によりピンがみえなくなり、装飾物になる。
【００３９】
時間がたち石鹸の水分が抜ける事により、ピンが抜けにくくなり、飾りとして安定する。
【産業上の利用可能性】
【００４０】
彫刻が施された石鹸の周りにピンを挿し、石鹸の彫刻された部分が他のものと当たりにくくなり、リボンを巻きつける事によって、ピンが抜けにくく、持ち運びしやすくなる。同時にそのまま飾る事ができることで、カービングされた石鹸を装飾としてケースなどに入れる必要がなくなり、装飾性も高くなる。芳香剤としての機能も兼ねることができる。
カバー部材を作製工程で使用することにより、石鹸上面周囲まで彫刻を施しても、針状のピンを挿入することができ、装飾物になる。
【符号の説明】
【００４１】
１  石鹸
２  ブートニアピン
３  シルクピン
４  リボン
５  カバー部材
６  底のピン
７  虫ピン
【図１】
2018141032.tif 000003
【図２】
2018141032.tif 000004
【図３】
2018141032.tif 000005
【図４】
2018141032.tif 000006
【図５】
2018141032.tif 000007
【図６】
2018141032.tif 000008
【図７】
2018141032.tif 000009
【図８】
2018141032.tif 000010
【図９】
2018141032.tif 000011
【図１０】
2018141032.tif 000012
【図１１】
2018141032.tif 000013
【図１２】
2018141032.tif 000014
【図１３】
2018141032.tif 000015
【図１４】
2018141032.tif 000016